(57)【要約】【課題】本発明は、全体として立体的な拡大虚像群を構成することができ、装飾効果をより一層向上させることが可能な装飾表示体を提供することを目的とする。【解決手段】透明素材１１の表面に、複数の凸レンズ状の集光素１２からなる集光素パターン１３が形成されるとともに、透明素材１１の裏面に、着色された複数の画素１４からなる画像パターン１５が形成される。画素パターン１５は透明素材１１の裏面において平面方向に複数の領域１，２，３に区分けされ、各領域における画素１４の配列ピッチｐ、ｑ、ｒが隣り合う領域同士で変化する。各領域１，２，３の拡大虚像Ａ，Ｂ，Ｃが平面方向に段階的に深さを変化しながら透明素材１１の下方に現出し、全体として立体的な拡大虚像群を構成する。【選択図】図３
2010105233.tif 000002
【特許請求の範囲】
【請求項１】
シート状または板状の透明素材の表面に、複数の凸レンズ状の集光素を各集光素の並びに方向性を持たせて２次元的に配列して集光素パターンが形成されるとともに、前記透明素材の裏面に、着色された複数の画素を各画素の並びに前記集光素パターンと同じ方向性を持たせて２次元的に配列して画素パターンが形成され、前記各集光素と各画素の配列ピッチが異なるように前記集光素パターンと前記画素パターンとが形成されることにより、前記画素の拡大虚像を透明素材の上方又は下方に現出する装飾表示体であって、
前記画素パターンは前記透明素材の裏面において平面方向に複数の領域に区分けされ、各領域における前記画素の配列ピッチが隣り合う領域同士で変化することにより、各領域における前記画素の拡大虚像が平面方向に段階的に高さまたは深さを変化しながら透明素材の上方又は下方に現出し、全体として立体的な拡大虚像群を構成することを特徴とする装飾表示体。
【請求項２】
前記各領域の画素パターンは、各領域ごとに画素径が変化している請求項１に記載の装飾表示体。
【請求項３】
前記各領域の画素パターンは、拡大虚像が下方に現出する領域の画素径が大きく形成されている請求項２に記載の装飾表示体。
【請求項４】
前記各領域の画素パターンは、透明素材の厚み方向に層状に形成されている請求項１から請求項３のいずれかに記載の装飾表示体。
【請求項５】
前記各領域の画素パターンは、隣接する領域の画素パターンと上下に重複する部分を有する請求項４に記載の装飾表示体。
【請求項６】
前記各領域の画素パターンは、隣接する領域の画素パターンと上下に重複する部分に着色された透明または不透明の印刷層が形成されている請求項５に記載の装飾表示体。
【請求項７】
前記各領域の画素パターンは、前記透明素材の中心部に向かって段階的に高くなる又は深くなるように区分けされている請求項１から請求項６のいずれかに記載の装飾表示体。
【請求項８】
別の透明素材に集光素パターンが形成されるとともに、さらに別の透明素材に各領域の画素パターンが形成され、これら集光素パターンの透明素材と画素パターンの透明素材とが本体となるシート状又は板状の前記透明素材の表裏両面に貼付される請求項１から請求項７のいずれかに記載の装飾表示体。
【発明の詳細な説明】
【技術分野】
【０００１】
本発明は、遊技機やゲーム機の外層パネル、包装箱、広告体、飾り品などの各種商品の装飾に用いられる装飾表示体に関するものである。
【背景技術】
【０００２】
一般に、遊技機やゲーム機の外層パネル、包装箱、広告体、飾り品などの各種商品では、表面に図柄の装飾が施される場合が多い。ところが、従来の図柄の装飾は、各種商品の表面上に印刷されているだけなので、消費者の視覚を刺激する効果に欠け、消費者の興味を引くには限界がある。
【０００３】
ところで、従来、図柄の拡大虚像を各種商品の表面から上方または下方に現出させる装飾表示体が知られている。例えば、シート状の透明素材の裏面に着色された複数の画素を各画その並びに方向性を持たせて２次元的に当配列して画素パターンが形成されるとともに、透明素材の表面に複数の凸レンズ状の集光素を各集光素の並びに前記画素パターンと同じ方向性を持たせて２次元的に等配列して集光素パターンを形成し、各画素の配列ピッチと各集光素の配列ピッチとが異なるようにして、各画素の拡大虚像を透明素材の上方又は下方に現出させる（特許文献１参照）。
【０００４】
この装飾表示体を各種商品の装飾に使用すると、見る位置に制限を受けることなく、揺らぎの少ない静的な状態で、図柄の拡大虚像が上方または下方に現出するため、従来の単なる図柄の装飾と比較して消費者の視覚を刺激する効果が高められる。
【０００５】
【特許文献１】特開２００１−１８０１９８号
【発明の開示】
【発明が解決しようとする課題】
【０００６】
しかしながら、上述の装飾表示体では、図柄の拡大虚像が単独で透明素材の上方又は下方に現出したものにすぎなかった。もとより、透明素材の裏面に画素の配列ピッチが互いに異なる複数層の画素パターンが設けられたものも併せて提案されているが、あくまでも図柄の拡大虚像が上下に重複しながら別々に見えるにすぎなかった。
【０００７】
本発明は、上述の技術的背景に鑑みてなされものであって、全体として立体的な拡大虚像群を構成することができ、装飾効果をより一層向上させることが可能な装飾表示体を提供することを目的とする。
【課題を解決するための手段】
【０００８】
本発明は、上記課題を解決するために、シート状または板状の透明素材の表面に、複数の凸レンズ状の集光素を各集光素の並びに方向性を持たせて２次元的に配列して集光素パターンが形成されるとともに、前記透明素材の裏面に、着色された複数の画素を各画素の並びに前記集光素パターンと同じ方向性を持たせて２次元的に配列して画素パターンが形成され、前記各集光素と各画素の配列ピッチが異なるように前記集光素パターンと前記画素パターンとが形成されることにより、前記画素の拡大虚像を透明素材の上方又は下方に現出する装飾表示体であって、前記画素パターンは前記透明素材の裏面において平面方向に複数の領域に区分けされ、各領域における前記画素の配列ピッチが隣り合う領域同士で変化することにより、各領域における前記画素の拡大虚像が平面方向に段階的に高さまたは深さを変化しながら透明素材の上方又は下方に現出し、全体として立体的な拡大虚像群を構成することを特徴とする。これによれば、画素の拡大虚像が単に上下に重複しながら現出するのではなく、平面方向に段階的に高さまたは深さを変化しながら現出するため、各拡大虚像が組み合わさることで全体として立体的な拡大虚像群を構成することができる。
【０００９】
また、前記各領域の画素パターンは、各領域ごとに画素径が変化していてもよい。これによれば全体として立体的な拡大虚像群に対して画素径の変化による装飾効果も持たせることができる。
【００１０】
また、前記各領域の画素パターンは、拡大虚像が下方に現出する領域の画素径が大きく形成されてもよい。これによれば拡大虚像が下方に現出する領域の画素密度が大きくなり、当該拡大虚像が全体として濃い状態に見えるため、人の目に対して当該拡大虚像をより一層下方に見せることができる。
【００１１】
また、前記各領域の画素パターンは、透明素材の厚み方向に層状に形成されてもよい。これによれば各領域の画素パターンを順次形成し得るため、装飾表示体を製造し易くなる。
【００１２】
また、前記各領域の画素パターンは、隣接する領域の画素パターンと上下に重複する部分を有してもよい。これによれば隣接する領域の画素パターンの間に不要な隙間が発生することを防止できる。しかも各領域の画素パターンの精密な形状や位置の設定が軽減され、装飾表示体を製造し易くなる。                   
【００１３】
また、前記各領域の画素パターンは、隣接する領域の画素パターンと上下に重複する部分に着色された透明または不透明の印刷層が形成されてもよい。これによれば異なる領域の画素の拡大虚像が上下に重複して現出する部分が軽減され、よりきれいで立体的な拡大虚像群を得ることができる。
【００１４】
また、前記各領域の画素パターンは、前記透明素材の中心部に向かって段階的に高くなる又は深くなるように区分けされていてもよい。これによれば全体として凸状に中心に向かって次第に高くなっていく拡大虚像、又は全体として凹状に中心に向かって次第に深くなっていく立体的な拡大虚像群を構成することができる。
【００１５】
また、別の透明素材に集光素パターンが形成されるとともに、さらに別の透明素材に各領域の画素パターンが形成され、これら集光素パターンの透明素材と画素パターンの透明素材とが本体となるシート状又は板状の前記透明素材の表裏両面に貼付されてもよい。これによれば集光素パターンと画素パターンを別々の透明素材に印刷したあと、それらを本体の透明素材に貼り合わせるため、本装飾表示体を製造し易くなる。また、集光素パターンと画素パターンを印刷した透明素材を店舗のウインドのような既設の透明素材に直接貼り付けることができ、本装飾表示体を既設の商品に対しても適用することが可能となる。
【発明の効果】
【００１６】
本発明によれば、画素の拡大虚像が単に上下に重複しながら現出するのではなく、平面方向に段階的に高さまたは深さを変化しながら現出するため、各拡大虚像が組み合わさることで全体として立体的な拡大虚像群を構成することができる。
【００１７】
このため画素パターンの形状や色による平面的な拡大虚像の装飾効果のみならず、さらにそれら拡大虚像を立体的に組み合わせた拡大虚像群の装飾効果が加わるため、装飾表示体の装飾効果をより一層向上させることができ、ひいては各種商品に応じたデザインの創作性を幅を広げることが可能となる。
【発明を実施するための最良の形態】
【００１８】
［実施形態１］
次に本発明の実施形態に係る装飾表示体について図１〜図４を参照しつつ説明する。
【００１９】
本装飾表示体（１０）は、アクリル板等の板状の透明素材（１１）の表面に、無着色又は着色の透明インキを用いて複数の凸レンズ状の集光素（１２）を印刷して集光素パターン（１３）を形成するとともに、透明素材（１１）の裏面に、着色された透明又は不透明インキを用いて複数の画素（１４）を印刷して画素パターン（１５）を形成してなる。
【００２０】
前記集光素パターン（１３）は、複数の凸レンズ状の集光素（１２）を各集光素（１２）の並びに方向性を持たせて２次元的に配列して集光素パターン（１３）が形成される。
【００２１】
本実施形態では、図２に示すように、ｘ方向とこれに直交するｙ方向へ同じピッチｓで各集光素（１２）をマトリクス状に等配列して集光素パターン（１３）を形成している。なお、各集光素（１２）の配列は必ずしも直交するパターンである必要はなく、一方の配列方向に対する他方の配列方向が９０度より小さい角度又は９０度より大きい角度をなすようにしてもよい。
【００２２】
前記画素パターン（１５）は、複数の画素（１４）を各画素（１４）の並びに前記集光素パターン（１３）と同じ方向性を持たせて２次元的に配列して形成される。
【００２３】
本実施形態では、画素パターン（１５）は、前記透明素材（１１）の裏面において平面方向に第１の領域（１）の画素パターン（１５Ａ）、第２の領域（２）の画素パターン（１５Ｂ）および第３の領域（３）の画素パターン（１５Ｃ）にそれぞれ区分けされている。
【００２４】
第１の領域（１）の画素パターン（１５Ａ）は、最も外側に位置する矩形環状に形成されている。この画素パターン（１５Ａ）は、図２（ａ）に示すように、ｘ方向とこれに直交するｙ方向へ同じピッチｐで各画素（１４）をマトリクス状に等配列して画素パターンを形成している。
【００２５】
第２の領域（２）の画素パターン（１５Ｂ）は、第１の領域（１）の画素パターン（１５Ａ）の内側に位置する矩形環状に形成されている。この画素パターン（１５Ｂ）は、図２（ｂ）に示すようにｘ方向とこれに直交するｙ方向へ同じピッチｑで各画素（１４）をマトリクス状に等配列して画素パターンを形成している。
【００２６】
第３の領域（３）の画素パターン（１５Ｃ）は、第２の領域（２）の画素パターン（１５Ｂ）の内側に位置する矩形状に形成されている。この画素パターン（１５Ｃ）は、図２（ｃ）に示すようにｘ方向とこれに直交するｙ方向へ同じピッチｒで各画素（１４）をマトリクス状に等配列して画素パターンを形成している。
【００２７】
これら第１〜第３の領域（１）（２）（３）の画素パターン（１５Ａ）（１５Ｂ）（１５Ｃ）の形成に際しては、透明素材（１１）に順次形成していくものとしてもよいし、透明素材（１１）に同時に形成するものとしてもよい。
【００２８】
なお、本実施形態では第１〜第３の領域（１）（２）（３）の画素（１４）はいずれも集光素（１２）と同じ形状および直径に形成されている。
【００２９】
第１〜第３の領域（１）（２）（３）の画素パターン（１５Ａ）（１５Ｂ）（１５Ｃ）のおける各画素（１４）の配列ピッチｐ、ｑ、ｒは、いずれも集光素パターン（１３）における集光素（１２）の配列ピッチｓよりも小さく設定されており、ｘｙの各方向について複数個おきの集光素（１２）が画素（１４）と完全に重なり、その周囲の集光素（１２）が画素（１４）から順次内側に位置ずれするように構成される。このため第１〜第３の領域（１）（２）（３）の画素パターン（１５Ａ）（１５Ｂ）（１５Ｃ）の拡大虚像は、見る位置に制限を受けることなく、揺らぎの少ない静的な状態で透明素材（１１）の下方に現出することになる。
【００３０】
また、第１〜第３の領域（１）（２）（３）の画素パターン（１５Ａ）（１５Ｂ）（１５Ｃ）の各画素（１４）の配列ピッチｐ、ｑ、ｒの間の関係については、各配列ピッチがｐ＜ｑ＜ｒとなる関係となるように隣り合う領域同士で変化するように構成している。
【００３１】
ところで、画素（１４）の配列ピッチが集光素（１２）の配列ピッチｓよりも小さい場合、画素（１４）の配列ピッチが集光素（１２）の配列ピッチｓから離れて小さくなると、画素（１４）の拡大虚像の現出位置が浅くなり、画素（１４）の拡大虚像の拡大率が小さくなる。逆に、画素（１４）の配列ピッチが集光素（１２）の配列ピッチｓに近づいて大きくなると、画素（１４）の拡大虚像の現出位置が深くなり、画素（１４）の拡大虚像の拡大率が大きくなる。
【００３２】
このため第１の領域（１）の画素（１４）の配列ピッチｐが集光素（１２）の配列ピッチｓに最も離れて小さいため、図３に示すように第１の領域（１）の画素（１４）の拡大虚像（Ａ）の現出位置が最も浅くなるとともに、図４に示すように画素（１４）の拡大虚像（Ａ）が小さい状態で現出する。
【００３３】
また、第２の領域（２）の画素（１４）の配列ピッチｑは第１の領域（１）の画素（１４）の配列ピッチｐよりも集光素（１２）の配列ピッチｓに近く大きいため、図３に示すように第２の領域（２）の画素（１４）の拡大虚像（Ｂ）の現出位置が次に深くなるとともに、図４に示すように画素（１４）の拡大虚像（Ｂ）が中位の状態で現出する。
【００３４】
また、第３の領域（３）の画素（１４）の配列ピッチｒは第２の領域（２）の画素（１４）の配列ピッチｑよりも集光素（１２）の配列ピッチｓに近く大きいため、図３に示すように第３の領域（３）の画素（１４）の拡大虚像（Ｃ）の現出位置が最も深くなるとともに、図４に示すように画素（１４）の拡大虚像（Ｃ）が大きな状態で現出する。
【００３５】
したがって、第１〜第３の領域（１）（２）（３）の拡大虚像（Ａ）（Ｂ）（Ｃ）を全体として見た場合、各拡大虚像（Ａ）（Ｂ）（Ｃ）が平面方向に段階的に深さを変化しながら透明素材（１１）の下方に現出するため、全体として凹状に中心に向かって次第に深くなっていく立体的な拡大虚像群を構成することができる。
【００３６】
なお、図１〜図３に示す集光素（１２）および画素（１４）の大きさおよび配列ピッチなどは、説明の便宜上、強調的に大きく図示したものである。特に図３は第１〜第３の画素（１４）のピッチが変化することを説明するために、画素（１４）や集光素（１２）の個数を少なくし且つ大きく図示したものであり、実際には各領域には非常に小さい集光素（１２）および画素（１４）が所定の配列ピッチで２次元的に非常に数多く配列されている。
【００３７】
［実施形態２］
次に本発明の第２の実施形態に係る装飾表示体（１０）について図５及び図６を参照しつつ説明する。
【００３８】
この装飾表示体（１０）は、実施形態１と同様に画素パターン（１５）を前記透明素材（１１）の裏面において平面方向に第１〜第３の領域（１）（２）（３）に区分けしている。
【００３９】
そして、第１〜第３の領域（１）（２）（３）の画素パターン（１５Ａ）（１５Ｂ）（１５Ｃ）の各画素（１４）の配列ピッチｐ、ｑ、ｒは、図５に示すように、いずれも集光素パターン（１３）における集光素（１２）の配列ピッチｓよりも大きく設定され、ｘｙの各方向について複数個おきの集光素（１２）が画素（１４）と完全に重なり、その周囲の集光素（１２）が画素（１４）から順次外側に位置ずれするように構成される。
【００４０】
このため第１〜第３の領域（１）（２）（３）の画素パターン（１５Ａ）（１５Ｂ）（１５Ｃ）の拡大虚像（Ａ）（Ｂ）（Ｃ）は、見る位置に制限を受けることなく、揺らぎの少ない静的な状態で透明素材（１１）の上方に現出することになる。
【００４１】
また、第１〜第３の領域（１）（２）（３）の画素パターン（１５Ａ）（１５Ｂ）（１５Ｃ）の各画素（１４）の配列ピッチｐ、ｑ、ｒの間の関係については、各配列ピッチがｐ＞ｑ＞ｒとなる関係となるように隣り合う領域同士で変化するように構成している。
【００４２】
ところで、画素（１４）の配列ピッチが集光素（１２）の配列ピッチｓよりも大きい場合、画素（１４）の配列ピッチが集光素（１２）の配列ピッチｓから離れて大きくなると、画素（１４）の拡大虚像の現出位置が低くなり、かつ画素（１４）の拡大虚像の拡大率が小さくなる。逆に、画素（１４）の配列ピッチが集光素（１２）の配列ピッチｓに近づいて小さくなると、画素（１４）の拡大虚像の現出位置が高くなり、かつ画素（１４）の拡大虚像の拡大率が大きくなる。
【００４３】
このため第１の領域（１）の画素（１４）の配列ピッチｐが集光素（１２）の配列ピッチｓに最も離れて大きいため、図６に示すように第１の領域（１）の画素（１４）の拡大虚像（Ａ）の現出位置が最も低くなるとともに、画素（１４）の拡大虚像（Ａ）が小さい状態で現出する。
【００４４】
また、第２の領域（２）の画素（１４）の配列ピッチｑは第１の領域（１）の画素（１４）の配列ピッチｐよりも集光素（１２）の配列ピッチｓに近く小さいため、第２の領域（２）の画素（１４）の拡大虚像（Ｂ）の現出位置が次に高くなるとともに、画素（１４）の拡大虚像（Ｂ）が中位の状態で現出する。
【００４５】
また、第３の領域（３）の画素（１４）の配列ピッチｒは第２の領域（２）の画素（１４）の配列ピッチｑよりも集光素（１２）の配列ピッチｓに近く小さいため、第３の領域（３）の画素（１４）の拡大虚像（Ｃ）の現出位置が最も高くなるとともに、画素（１４）の拡大虚像（Ｃ）が大きな状態で現出する。なお、第１〜第３の領域（１）（２）（３）の拡大虚像（Ａ）（Ｂ）（Ｃ）を上方から垂直に見た場合、実施形態１における拡大虚像群（図４）と同じ状態で現出する。
【００４６】
したがって、第１〜第３の領域（１）（２）（３）の拡大虚像（Ａ）（Ｂ）（Ｃ）を全体として見た場合、第１〜第３の領域（３）の画素（１４）の各拡大虚像が平面方向に段階的に高さを変化しながら透明素材（１１）の上方に現出するため、全体として凸状に中心に向かって次第に高くなっていく立体的な拡大虚像群を構成することができる。
【００４７】
［実施形態３］
次に本発明の第３の実施形態に係る装飾表示体（１０）について図７及び図８を参照しつつ説明する。
【００４８】
この装飾表示体（１０）は、実施形態１と同様に画素パターン（１５）を前記透明素材（１１）の裏面において平面方向に第１〜第３の領域（１）（２）（３）に区分けし、第１〜第３の領域（１）（２）（３）の画素パターン（１５Ａ）（１５Ｂ）（１５Ｃ）における画素径を各領域ごとに変化させている。なお、第１〜第３の領域（１）（２）（３）の画素パターン（１５Ａ）（１５Ｂ）（１５Ｃ）における全体形状や配列ピッチｐ、ｑ、ｒについては実施形態１のものと同一である。
【００４９】
このように第１〜第３の領域（１）（２）（３）の画素パターン（１５Ａ）（１５Ｂ）（１５Ｃ）における画素径を各領域ごとに変化させることにより、全体として立体的な拡大虚像群に対して画素径の変化による装飾効果も持たせることができる。
【００５０】
また、本実施形態では、第１〜第３の領域（１）（２）（３）の画素パターン（１５Ａ）（１５Ｂ）（１５Ｃ）は、画素パターン（１５Ａ）の画素径＜画素パターン（１５Ｂ）の画素径＜画素パターン（１５Ｃ）の画素径となるように、拡大虚像（Ａ）（Ｂ）（Ｃ）の現出位置が深い領域になるにつれて画素径が大きくなっている。
【００５１】
これにより図８に示すように拡大虚像の現出位置が深い領域の画素密度が大きくなり、現出位置が深い領域の画素（１４）の拡大虚像が全体として濃い状態に見えるため、人の目に対して当該拡大虚像をより一層深く見せることができる。
【００５２】
［実施形態４］
次に本発明の第４の実施形態に係る装飾表示体（１０）について図９を参照しつつ説明する。
【００５３】
この装飾表示体（１０）は、実施形態１と同様に前記透明素材（１１）の裏面において平面方向に第１〜第３の領域（３）に区分けし、さらに第１〜第３の領域（１）（２）（３）の画素パターン（１５）が透明素材（１１）の厚み方向に層状に形成されている。
【００５４】
すなわち、第１の領域（１）の画素パターン（１５）を透明素材（１１）に最も近い第１層、第２の領域（２）の画素パターン（１５）を次に透明素材（１１）に近い第２層、第３の領域（３）の画素パターン（１５）を透明素材（１１）から最も離れた第３層として構成している。なお、第１〜第３の領域（３）の画素パターン（１５）における全体形状や配列ピッチｐ、ｑ、ｒについては実施形態１のものと同一である。
【００５５】
これにより各領域の画素パターン（１５）を順次形成し得るため、装飾表示体（１０）を製造し易くなる。
【００５６】
［実施形態５］
次に本発明の第５の実施形態に係る装飾表示体（１０）について図１０を参照しつつ説明する。
【００５７】
この装飾表示体（１０）は、前記透明素材（１１）の裏面において平面方向に第１〜第３の領域（１）（２）（３）に区分けし、第１〜第３の領域（１）（２）（３）の画素パターン（１５Ａ）（１５Ｂ）（１５Ｃ）が透明素材（１１）の厚み方向に層状に形成されるとともに、隣接する領域の画素パターンと一部を上下に重複する部分を有する。
【００５８】
すなわち、第１の領域（１）の画素パターン（１５Ａ）は、最も外側に位置する矩形環状に形成し、透明素材（１１）に最も近い第１層に構成している。
【００５９】
また、第２の領域（２）の画素パターン（１５Ｂ）は、第１の領域（１）の画素パターン（１５Ａ）と上下に重複しながら、第１の領域（１）の画素パターン（１５Ａ）よりも内側に延設された矩形環状に形成し、第１の領域（１）の画素パターン（１５Ａ）の次に透明素材（１１）に近い第２層に構成している。
【００６０】
また、第３の領域（３）の画素パターン（１５Ｃ）は、第１および第２の領域（１）（２）の画素パターン（１５Ａ）（１５Ｂ）と上下に重複しながら、第２の領域（２）の画素パターン（１５Ｂ）よりも内側に延設された矩形状（本実施形態では透明素材（１０）と同形状）に形成し、透明素材（１１）から最も離れた第３層に構成している。
【００６１】
なお、第１〜第３の領域（３）の画素パターン（１５）における配列ピッチｐ、ｑ、ｒについては実施形態１のものと同一である。
【００６２】
このように隣接する領域の画素パターン（１５）と上下に重複する部分を有することにより、隣接する領域の画素パターン（１５）の間に不要な隙間が発生することを防止できる。しかも各領域の画素パターン（１５）の精密な形状や位置の設定が軽減され、装飾表示体（１０）を製造し易くなる。
【００６３】
［実施形態６］
次に本発明の第６の実施形態に係る装飾表示体（１０）について図１１を参照しつつ説明する。
【００６４】
この装飾表示体（１０）は、実施形態５と同様に前記透明素材（１１）の裏面において平面方向に第１〜第３の領域（１）（２）（３）に区分けし、第１〜第３の領域（１）（２）（３）の画素パターン（１５Ａ）（１５Ｂ）（１５Ｃ）を透明素材（１１）の厚み方向に層状に形成するとともに、隣接する領域の画素パターン（１５）と上下に重複する部分を有している。
【００６５】
そして、さらに隣接する領域の画素パターン（１５）と上下に重複する部分に着色された透明または不透明の印刷層（１６）（１７）が形成されている。
【００６６】
すなわち、第１の領域（１）の画素パターン（１５Ａ）（第１層）と第２の領域（２）の画素パターン（１５Ｂ）（第２層）との間の重複部分に、着色された透明または不透明の印刷層（１６）が形成されている。
【００６７】
また、第２の領域（２）の画素パターン（１５）（第２層）と第３の領域（３）の画素パターン（１５）（第３層）との間の重複部分に、着色された透明または不透明の印刷層（１７）が形成されている。
【００６８】
なお、第１〜第３の領域（１）（２）（３）の画素パターン（１５）における全体形状や配列ピッチｐ、ｑ、ｒについては実施形態５のものと同一である。
【００６９】
このように隣接する領域の画素パターン（１５）と上下に重複する部分に着色された透明または不透明の印刷層（１６）（１７）が形成されているため、異なる領域の画素（１４）の拡大虚像が上下に重複して現出することがなくなり、よりきれいで立体的な拡大虚像群を得ることができる。
【００７０】
なお、上記各実施形態では、透明素材（１１）の表裏両面へ直接印刷を施したが集光素パターン（１３）および画素パターン（１５）を形成しているが、図１２に示すように、別の透明素材（１８）に集光素パターン（１３）を印刷したものや、別の透明素材（１９）に画素パターン（１５）を印刷したものを本体となるシート状または板状の前記透明素材（１１）の表裏両面に貼付するようにしてもよい。これにより本装飾表示体（１０）を製造し易くなるほか、集光素パターン（１３）と画素パターン（１５）を印刷した透明素材（１１）を店舗のウインドのような既設の透明素材（１１）に直接貼り付けることができ、本装飾表示体（１０）を既設の商品に対しても適用することが可能となる。
【００７１】
また、画素パターン（１５）を第１〜第３の領域（１）（２）（３）に区分けするものとしたが、その他の個数や形状の領域に区分けするものとしてもよい。
【００７２】
また、各拡大虚像が次第に深くなる拡大虚像又は高くなる拡大虚像群となるようにしたが、拡大虚像が起伏が生じる拡大虚像群となるようにしてもよい。
【００７３】
また、画素は円形のものとしたが、四角形、星形、十字形あるいは線状形などその他の形状であってもよい。
【図面の簡単な説明】
【００７４】
【図１】本装飾表示体の平面図である。
【図２】本装飾表示体の集光素と画素の関係を示す模式図である。
【図３】本装飾表示体の模式断面と拡大虚像の現出位置を示す図である。
【図４】本装飾表示体の拡大虚像の平面図である。
【図５】第２の実施形態に係る本装飾表示体の集光素と画素の関係を示す模式図である。
【図６】図５の本装飾表示体の模式断面と拡大虚像の現出位置を示す図である。
【図７】第３の実施形態に係る本装飾表示体の模式断面と拡大虚像の現出位置を示す図である。
【図８】図７の本装飾表示体の拡大虚像の平面図である。
【図９】第４の実施形態に係る本装飾表示体の模式断面と拡大虚像の現出位置を示す図である。
【図１０】第５の実施形態に係る本装飾表示体の模式断面と拡大虚像の現出位置を示す図である。
【図１１】第６の実施形態に係る本装飾表示体の模式断面と拡大虚像の現出位置を示す図である。
【図１２】その他の実施形態に係る本装飾表示体の模式断面と拡大虚像の現出位置を示す図である。
【符号の説明】
【００７５】
１・・・第１の領域
２・・・第２の領域
３・・・第３の領域
１０・・・装飾表示体
１１・・・透明素材
１２・・・集光素
１３・・・集光素パターン
１４・・・画素
１５・・・画素パターン
１５Ａ・・・第１の領域の画素パターン
１５Ｂ・・・第２の領域の画素パターン
１５Ｃ・・・第３の領域の画素パターン
１６，１７・・・印刷層
１８、１９・・・別の透明素材
【図１】
2010105233.tif 000003
【図２】
2010105233.tif 000004
【図３】
2010105233.tif 000005
【図４】
2010105233.tif 000006
【図５】
2010105233.tif 000007
【図６】
2010105233.tif 000008
【図７】
2010105233.tif 000009
【図８】
2010105233.tif 000010
【図９】
2010105233.tif 000011
【図１０】
2010105233.tif 000012
【図１１】
2010105233.tif 000013
【図１２】
2010105233.tif 000014